(57)【要約】    【課題】      ＣＰＩＣＨと所望チャネルとの基地局送信電力比が、ある時間区間もしくは常に一定であるような所望チャネルの送信ダイバーシチＣＬ１時に基地局位相制御値の推定を行うアンテナベリフィケーション手段を具備するＣＤＭＡ受信装置において、アンテナベリフィケーション結果の誤りを訂正し、基地局位相制御値の推定精度を向上させること。    【解決手段】  アンテナベリフィケーション誤り訂正部１１１では、所望チャネル逆拡散部１０６a、１０６ｂの出力を用いてアンテナベリフィケーション部１０９にて推定した基地局位相制御推定値Ｗｍｓの誤り訂正処理を、その基地局位相制御推定値Ｗｍｓを用いて算出したＣＰＩＣＨ受信電力と所望チャネル受信電力との比が一定になっているか否かを判定して行い、誤り訂正した基地局位相制御推定値Ｗcorrectを出力する。  【選択図】      図１
2005348182.tif 000002
【特許請求の範囲】
【請求項１】
ＣＰＩＣＨと所望チャネルとの基地局送信電力比が、ある時間区間もしくは常に一定であるような所望チャネルの送信ダイバーシチにおいて、基地局位相制御値の推定を行うアンテナベリフィケーション手段を具備するＣＤＭＡ受信装置において、
前記アンテナベリフィケーション手段による推定結果を訂正するアンテナベリフィケーション誤り訂正手段として、前記アンテナベリフィケーション手段により推定された基地局位相制御値に基づいてＣＰＩＣＨの受信電力を測定するＣＰＩＣＨ受信電力算出手段と、所望チャネルの受信信号電力を測定する所望チャネル受信電力算出手段と、前記ＣＰＩＣＨ受信電力と前記所望チャネル受信電力との受信電力比を算出する受信電力比算出手段と、前記受信電力比から真の受信電力比を推定するリファレンス受信電力比推定手段と、前記基地局位相制御値に対して他方の取りうる基地局位相制御値を用いて算出した受信電力比と前記受信電力比とにおいて、真の受信電力比と推定された受信電力比との差を比較し、前記アンテナベリフィケーション手段により推定された基地局位相制御値の誤りを訂正する誤り訂正手段と、を具備することを特徴とするＣＤＭＡ受信装置。
【請求項２】
前記真の受信電力比を推定するリファレンス受信電力比推定手段は、閾値を設定する閾値設定手段と、前記閾値と受信ＳＩＲとを比較する受信ＳＩＲ閾値比較判定手段と、前記受信ＳＩＲが閾値以上と判定されたスロットにおける受信電力比の平均値を算出し、その平均値を真の受信電力比として前記誤り訂正手段に出力する平均演算手段と、を具備することを特徴とする請求項１記載のＣＤＭＡ受信装置。
【請求項３】
前記真の受信電力比を推定するリファレンス受信電力比推定手段は、前記受信ＳＩＲの最大値を検出する最大値検出手段と、前記受信ＳＩＲが最大と検出されたスロットにおける受信電力比を真の受信電力比と推定し、前記基地局位相制御値に対して他方の取りうる基地局位相制御値を用いて算出した受信電力比と前記受信電力比とにおいて、真の受信電力比と推定された受信電力比との差を比較し、前記アンテナベリフィケーション手段により推定された基地局位相制御値の誤りを訂正する誤り訂正手段と、を具備することを特徴とする請求項１記載のＣＤＭＡ受信装置。
【請求項４】
前記ＣＰＩＣＨ受信電力算出手段及び受信電力比算出手段は、前記他方の取りうる基地局位相制御値を用いた受信電力比の算出を前記受信ＳＩＲ閾値比較判定手段にて閾値以下と判定されたスロットについてのみ行う手段を具備し、前記誤り訂正手段も、前記閾値以下と判定されたスロットについてのみ前記訂正処理を行う手段を具備することを特徴とする請求項２または請求項３記載のＣＤＭＡ受信装置。
【請求項５】
受信電力比閾値を設定する受信電力比閾値設定手段と、前記受信電力比閾値と前記受信電力比とを比較する受信電力比閾値比較判定手段と、を具備し、前記ＣＰＩＣＨ受信電力算出手段及び前記受信電力比算出手段は、前記他方の取りうる基地局位相制御値を用いた受信電力比の算出を前記受信電力比閾値判定手段により閾値以下と判定されたスロットについてのみ行う手段を具備し、前記誤り訂正手段も、前記閾値以下と判定されたスロットについてのみ前記訂正処理を行う手段を具備することを特徴とする請求項２または請求項３記載のＣＤＭＡ受信装置。
【請求項６】
ＣＰＩＣＨと所望チャネルとの基地局送信電力比が、ある時間区間もしくは常に一定であるような所望チャネルの送信ダイバーシチＣＬ１時に基地局位相制御値の推定を行うアンテナベリフィケーション工程を具備するＣＤＭＡ受信装置において、
前記アンテナベリフィケーション工程による推定結果を訂正するアンテナベリフィケーション誤り訂正工程として、前記アンテナベリフィケーション手段により推定された基地局位相制御値に基づいてＣＰＩＣＨの受信電力を測定するＣＰＩＣＨ受信電力算出工程と、所望チャネルの受信信号電力を測定する所望チャネル受信電力算出手段と、前記ＣＰＩＣＨ受信電力と前記所望チャネル受信電力との受信電力比を算出する受信電力比算出工程と、前記受信電力比から真の受信電力比を推定するリファレンス受信電力比推定工程と、前記基地局位相制御値に対して他方の取りうる基地局位相制御値を用いて算出した受信電力比と前記受信電力比とにおいて、真の受信電力比と推定された受信電力比との差を比較し、前記アンテナベリフィケーション手段により推定された基地局位相制御値の誤りを訂正する誤り訂正工程と、を具備することを特徴とするＣＤＭＡ受信方法。
【請求項７】
前記真の受信電力比を推定するリファレンス受信電力比推定工程は、閾値を設定する閾値設定工程と、前記閾値と受信ＳＩＲとを比較する受信ＳＩＲ閾値比較判定工程と、前記受信ＳＩＲが閾値以上と判定されたスロットにおける受信電力比の平均値を算出し、その平均値を真の受信電力比として前記誤り訂正工程に引き渡す平均演算工程と、を具備することを特徴とする請求項６記載のＣＤＭＡ受信方法。
【請求項８】
前記真の受信電力比を推定するリファレンス受信電力比推定工程は、前記受信ＳＩＲの最大値を検出する最大値検出工程と、前記受信ＳＩＲが最大と検出されたスロットにおける受信電力比を真の受信電力比と推定し、前記基地局位相制御値に対して他方の取りうる基地局位相制御値を用いて算出した受信電力比と前記受信電力比とにおいて、真の受信電力比と推定された受信電力比との差を比較し、前記アンテナベリフィケーション手段により推定された基地局位相制御値の誤りを訂正する誤り訂正工程と、を具備することを特徴とする請求項６記載のＣＤＭＡ受信方法。
【請求項９】
前記ＣＰＩＣＨ受信電力算出工程及び受信電力比算出工程は、前記他方の取りうる基地局位相制御値を用いた受信電力比の算出を前記受信ＳＩＲ閾値比較判定工程にて閾値以下と判定されたスロットについてのみ行う工程を具備し、前記誤り訂正工程も、前記閾値以下と判定されたスロットについてのみ前記訂正処理を行う工程、を具備することを特徴とする請求項７または請求項８記載のＣＤＭＡ受信方法。
【請求項１０】
受信電力比閾値を設定する受信電力比閾値設定工程と、前記受信電力比閾値と前記受信電力比とを比較する受信電力比閾値比較判定工程と、を具備し、前記ＣＰＩＣＨ受信電力算出工程及び前記受信電力比算出工程は、前記他方の取りうる基地局位相制御値を用いた受信電力比の算出を前記受信電力比閾値判定工程にて閾値以下と判定されたスロットについてのみ行う手段を具備し、前記誤り訂正手段も、前記閾値以下と判定されたスロットについてのみ前記訂正処理を行う工程、を具備することを特徴とする請求項７または請求項８記載のＣＤＭＡ受信方法。
【請求項１１】
請求項１から請求項５のいずれかに記載のＣＤＭＡ受信装置を具備することを特徴とする通信端末装置。
【請求項１２】
ＣＰＩＣＨと所望チャネルとの基地局送信電力比が、ある時間区間もしくは常に一定であるような所望チャネルの送信ダイバーシチにおいて、基地局位相制御値の推定を行うアンテナベリフィケーション手順を具備するプログラムにおいて、
前記アンテナベリフィケーション手順による推定結果を訂正するアンテナベリフィケーション誤り訂正手順として、前記アンテナベリフィケーション手順により推定された基地局位相制御値に基づいてＣＰＩＣＨの受信電力を測定するＣＰＩＣＨ受信電力算出手順と、所望チャネルの受信信号電力を測定する所望チャネル受信電力算出手順と、前記ＣＰＩＣＨ受信電力と前記所望チャネル受信電力との受信電力比を算出する受信電力比算出手順と、前記受信電力比から真の受信電力比を推定するリファレンス受信電力比推定手順と、前記基地局位相制御値に対して他方の取りうる基地局位相制御値を用いて算出した受信電力比と前記受信電力比とにおいて、真の受信電力比と推定された受信電力比との差を比較し、前記アンテナベリフィケーション手順により推定された基地局位相制御値の誤りを訂正する誤り訂正手順と、を具備することを特徴とするプログラム。
【発明の詳細な説明】
【技術分野】
【０００１】
本発明は、符号分割多元接続（Code Division Multiple Access：ＣＤＭＡ）方式の移動通信システムでの移動局にて用いられるＣＤＭＡ受信装置及びＣＤＭＡ受信方法に関する。
【背景技術】
【０００２】
３ＧＰＰ（3rd Generation Partnership Project）において標準化が行われているＣＤＭＡ移動通信システムでは、送信ダイバーシチ方法として、ＳＴＴＤ（Space Time Transmit Diversity）、ＣＬ１（Closed Loop Mode１）、及びＣＬ２（Closed Loop Mode２）の３種類の方法が規定されている。
【０００３】
送信ダイバーシチＣＬ１では、２つの基地局アンテナから送信される送信信号の合成ベクトルが移動機の受信アンテナ端で最大となるように移動機が上りコマンドを送信し、基地局はその上りコマンドに応じてアンテナ２側の所望チャネル（例えば、ＤＰＣＨ（Dedicated Pilot Channel）やＨＳＰＤＳＣＨ（High Speed Physical Downlink Shared Channel）の位相を制御する。したがって、位相推定に用いるＣＰＩＣＨ(Common Pilot Channel) の位相と所望チャネルの位相とは異なることになり、そのままではＣＰＩＣＨを位相推定に使用できない。
【０００４】
そこで、移動機では、アンテナベリフィケーション（Antenna Verification）を行って基地局アンテナ２側の位相制御値を推定し、その推定した基地局位相制御値をＣＰＩＣＨから算出した位相推定値に加えて所望チャネルの同期検波に使用する。非特許文献１にはこのアンテナベリフィケーション方法の一例が記載されている。その方法は、基地局アンテナ２側のＣＰＩＣＨと位相制御されているＤＰＣＨとの位相差を測定することにより、基地局位相制御値を推定するものである。
【非特許文献１】３ＧＰＰ  ＴＳ２５．２１４  Ｖ５．４．０  Ａｎｎｅｘ  Ａ（informative）
【発明の開示】
【発明が解決しようとする課題】
【０００５】
送信ダイバーシチＣＬ１時における基地局位相制御値はπ/2毎の値を取るため、基地局位相制御値の推定を誤ると位相推定精度が非常に悪くなり、受信品質の大きな劣化を招く。したがって、送信ダイバーシチＣＬ１時においては、基地局位相制御値の推定精度向上が非常に重要な課題となっている。
【０００６】
本発明は、かかる点に鑑みてなされたものであり、ＣＰＩＣＨと所望チャネルとの送信電力比がある時間区間もしくは常に一定と規定されるような所望チャネルの送信ダイバーシチＣＬ１時において、アンテナベリフィケーションで算出した基地局位相制御推定値の誤りを訂正することのできるＣＤＭＡ受信装置及び方法を提供することを目的とする。
【課題を解決するための手段】
【０００７】
かかる課題を解決するため、本発明に係るＣＤＭＡ受信装置は、ＣＰＩＣＨと所望チャネルとの基地局送信電力比が、ある時間区間もしくは常に一定であるような所望チャネルの送信ダイバーシチにおいて、基地局位相制御値の推定を行うアンテナベリフィケーション手段を具備するＣＤＭＡ受信装置において、前記アンテナベリフィケーション手段による推定結果を訂正するアンテナベリフィケーション誤り訂正手段として、前記アンテナベリフィケーション手段により推定された基地局位相制御値に基づいてＣＰＩＣＨの受信電力を測定するＣＰＩＣＨ受信電力算出手段と、所望チャネルの受信信号電力を測定する所望チャネル受信電力算出手段と、前記ＣＰＩＣＨ受信電力と前記所望チャネル受信電力との受信電力比を算出する受信電力比算出手段と、前記受信電力比から真の受信電力比を推定するリファレンス受信電力比推定手段と、前記基地局位相制御値に対して他方の取りうる基地局位相制御値を用いて算出した受信電力比と前記受信電力比とにおいて、真の受信電力比と推定された受信電力比との差を比較し、前記アンテナベリフィケーション手段により推定された基地局位相制御値の誤りを訂正する誤り訂正手段と、を具備する構成を採る。
【０００８】
この構成によれば、基地局からのＣＰＩＣＨ送信電力と所望チャネル送信電力との比が一定であることを利用し、アンテナベリフィケーション結果の誤りを訂正することができるので、基地局位相制御値の推定精度を向上させることができる。
【０００９】
本発明に係るＣＤＭＡ受信装置は、上記の発明において、前記真の受信電力比を推定するリファレンス受信電力比推定手段は、閾値を設定する閾値設定手段と、前記閾値と受信ＳＩＲとを比較する受信ＳＩＲ閾値比較判定手段と、前記受信ＳＩＲが閾値以上と判定されたスロットにおける受信電力比の平均値を算出し、その平均値を真の受信電力比として前記誤り訂正手段に出力する平均演算手段とを具備する構成を採る。
【００１０】
この構成によれば、基地局からのＣＰＩＣＨ送信電力と所望チャネル送信電力との比が一定であることを利用し、アンテナベリフィケーション結果の誤りを訂正することができるので、基地局位相制御値の推定精度を向上させることができる。
【００１１】
本発明に係るＣＤＭＡ受信装置は、上記の発明において、前記真の受信電力比を推定するリファレンス受信電力比推定手段は、前記受信ＳＩＲの最大値を検出する最大値検出手段と、前記受信ＳＩＲが最大と検出されたスロットにおける受信電力比を真の受信電力比と推定し、前記基地局位相制御値に対して他方の取りうる基地局位相制御値を用いて算出した受信電力比と前記受信電力比とにおいて、真の受信電力比と推定された受信電力比との差を比較し、前記アンテナベリフィケーション手段により推定された基地局位相制御値の誤りを訂正する誤り訂正手段とを具備する構成を採る。
【００１２】
この構成によれば、基地局からのＣＰＩＣＨ送信電力と所望チャネル送信電力との比が一定であることを利用し、アンテナベリフィケーション結果の誤りを訂正することができるので、基地局位相制御値の推定精度を向上させることができる。加えて、真の受信電力比の推定を受信ＳＩＲが最大と検出されたスロットにおける受信電力比とすることで処理量の削減を期待することができる。さらに、受信ＳＩＲが閾値以下のスロットについて誤り訂正処理を行うので訂正する必要のないスロットにおける訂正処理を省くことができ、さらなる処理量削減が期待できる。
【００１３】
本発明に係るＣＤＭＡ受信装置は、上記の発明において、前記ＣＰＩＣＨ受信電力算出手段及び受信電力比算出手段は、前記他方の取りうる基地局位相制御値を用いた受信電力比の算出を前記受信ＳＩＲ閾値比較判定手段にて閾値以下と判定されたスロットについてのみ行う手段を具備し、前記誤り訂正手段も前記閾値以下と判定されたスロットについてのみ前記訂正処理を行う手段を具備する構成を採る。
【００１４】
この構成によれば、基地局からのＣＰＩＣＨ送信電力と所望チャネル送信電力との比が一定であることを利用し、アンテナベリフィケーション結果の誤りを訂正することができるので、基地局位相制御値の推定精度を向上させることができる。加えて、受信ＳＩＲが閾値以下のスロットのみについて誤り訂正処理を行うので、訂正する必要のないスロットにおける訂正処理を省くことができ、処理量を削減できる。
【００１５】
本発明に係るＣＤＭＡ受信装置は、上記の発明において、受信電力比閾値を設定する受信電力比閾値設定手段と、前記受信電力比閾値と前記受信電力比とを比較する受信電力比閾値比較判定手段と、を具備し、前記ＣＰＩＣＨ受信電力算出手段及び前記受信電力比算出手段は、前記他方の取りうる基地局位相制御値を用いた受信電力比の算出を前記受信電力比閾値判定手段により閾値以下と判定されたスロットについてのみ行う手段を具備し、前記誤り訂正手段も、前記閾値以下と判定されたスロットについてのみ前記訂正処理を行う手段を具備する構成を採る。
【００１６】
この構成によれば、基地局からのＣＰＩＣＨ送信電力と所望チャネル送信電力との比が一定であることを利用し、アンテナベリフィケーション結果の誤りを訂正することができるので、基地局位相制御値の推定精度を向上させることができる。加えて、真の受信電力比Ｋｒｅｆとの誤差が大きいスロットについてのみ誤り訂正処理を行うので、訂正する必要のないスロットにおける訂正処理を省くことができ、処理量を削減できる。
【００１７】
本発明に係るＣＤＭＡ受信方法は、ＣＰＩＣＨと所望チャネルとの基地局送信電力比が、ある時間区間もしくは常に一定であるような所望チャネルの送信ダイバーシチＣＬ１時に基地局位相制御値の推定を行うアンテナベリフィケーション工程を具備するＣＤＭＡ受信装置において、前記アンテナベリフィケーション工程による推定結果を訂正するアンテナベリフィケーション誤り訂正工程として、前記アンテナベリフィケーション手段により推定された基地局位相制御値に基づいてＣＰＩＣＨの受信電力を測定するＣＰＩＣＨ受信電力算出工程と、所望チャネルの受信信号電力を測定する所望チャネル受信電力算出手段と、前記ＣＰＩＣＨ受信電力と前記所望チャネル受信電力との受信電力比を算出する受信電力比算出工程と、前記受信電力比から真の受信電力比を推定するリファレンス受信電力比推定工程と、前記基地局位相制御値に対して他方の取りうる基地局位相制御値を用いて算出した受信電力比と前記受信電力比とにおいて、真の受信電力比と推定された受信電力比との差を比較し、前記アンテナベリフィケーション手段により推定された基地局位相制御値の誤りを訂正する誤り訂正工程と、を具備するようにした。
【００１８】
この方法によれば、基地局からのＣＰＩＣＨ送信電力と所望チャネル送信電力との比が一定であることを利用し、アンテナベリフィケーション結果の誤りを訂正することができるので、基地局位相制御値の推定精度を向上させることができる。
【００１９】
本発明に係るＣＤＭＡ受信方法は、上記の発明において、前記真の受信電力比を推定するリファレンス受信電力比推定工程は、閾値を設定する閾値設定工程と、前記閾値と受信ＳＩＲとを比較する受信ＳＩＲ閾値比較判定工程と、前記受信ＳＩＲが閾値以上と判定されたスロットにおける受信電力比の平均値を算出し、その平均値を真の受信電力比として前記誤り訂正工程に引き渡す平均演算工程とを具備するようにした。
【００２０】
この方法によれば、基地局からのＣＰＩＣＨ送信電力と所望チャネル送信電力との比が一定であることを利用し、アンテナベリフィケーション結果の誤りを訂正することができるので、基地局位相制御値の推定精度を向上させることができる。
【００２１】
本発明に係るＣＤＭＡ受信方法は、上記の発明において、前記真の受信電力比を推定するリファレンス受信電力比推定工程は、前記受信ＳＩＲの最大値を検出する最大値検出工程と、前記受信ＳＩＲが最大と検出されたスロットにおける受信電力比を真の受信電力比と推定し、前記基地局位相制御値に対して他方の取りうる基地局位相制御値を用いて算出した受信電力比と前記受信電力比とにおいて、真の受信電力比と推定された受信電力比との差を比較し、前記アンテナベリフィケーション手段により推定された基地局位相制御値の誤りを訂正する誤り訂正工程とを具備するようにした。
【００２２】
この方法によれば、基地局からのＣＰＩＣＨ送信電力と所望チャネル送信電力との比が一定であることを利用し、アンテナベリフィケーション結果の誤りを訂正することができるので、基地局位相制御値の推定精度を向上させることができる。加えて、真の受信電力比の推定を受信ＳＩＲが最大と検出されたスロットにおける受信電力比とすることので、処理量の削減が期待できるとともに、受信ＳＩＲが閾値以下のスロットについて誤り訂正処理を行うので、訂正する必要のないスロットにおける訂正処理を省くことができ、さらなる処理量削減が期待できる。
【００２３】
本発明に係るＣＤＭＡ受信方法は、上記の発明において、前記ＣＰＩＣＨ受信電力算出工程及び受信電力比算出工程は、前記他方の取りうる基地局位相制御値を用いた受信電力比の算出を前記受信ＳＩＲ閾値比較判定工程にて閾値以下と判定されたスロットについてのみ行う工程を具備し、前記誤り訂正工程も前記閾値以下と判定されたスロットについてのみ前記訂正処理を行う工程を具備するようにした。
【００２４】
この方法によれば、基地局からのＣＰＩＣＨ送信電力と所望チャネル送信電力との比が一定であることを利用し、アンテナベリフィケーション結果の誤りを訂正することができるので、基地局位相制御値の推定精度を向上させることができる。加えて、受信ＳＩＲが閾値以下のスロットのみについて誤り訂正処理を行うので、訂正する必要のないスロットにおける訂正処理を省くことができ、処理量を削減できる。
【００２５】
本発明に係るＣＤＭＡ受信方法は、上記の発明において、受信電力比閾値を設定する受信電力比閾値設定工程と、前記受信電力比閾値と前記受信電力比とを比較する受信電力比閾値比較判定工程と、を具備し、前記ＣＰＩＣＨ受信電力算出工程及び前記受信電力比算出工程は、前記他方の取りうる基地局位相制御値を用いた受信電力比の算出を前記受信電力比閾値判定工程にて閾値以下と判定されたスロットについてのみ行う手段を具備し、前記誤り訂正手段も、前記閾値以下と判定されたスロットについてのみ前記訂正処理を行う工程を具備するようにした。
【００２６】
この方法によれば、基地局からのＣＰＩＣＨ送信電力と所望チャネル送信電力との比が一定であることを利用し、アンテナベリフィケーション結果の誤りを訂正することができるので、基地局位相制御値の推定精度を向上させることができる。加えて、真の受信電力比Ｋｒｅｆとの誤差が大きいスロットについてのみ誤り訂正処理を行うので、訂正する必要のないスロットにおける訂正処理を省くことができ、処理量を削減できる。
【００２７】
本発明に係る通信端末装置は、上記いずれかのＣＤＭＡ受信装置を具備する構成を採る。
【００２８】
この構成によれば、基地局からのＣＰＩＣＨ送信電力と所望チャネル送信電力との比が一定であることを利用し、アンテナベリフィケーション結果の誤りを訂正することができるので、基地局位相制御値の推定精度を向上させることができる。加えて、真の受信電力比Ｋｒｅｆとの誤差が大きいスロットについてのみ誤り訂正処理を行うので、訂正する必要のないスロットにおける訂正処理を省くことができ、処理量を削減できる。
【００２９】
本発明に係るプログラムは、ＣＰＩＣＨと所望チャネルとの基地局送信電力比が、ある時間区間もしくは常に一定であるような所望チャネルの送信ダイバーシチにおいて、基地局位相制御値の推定を行うアンテナベリフィケーション手順を具備するプログラムにおいて、前記アンテナベリフィケーション手順による推定結果を訂正するアンテナベリフィケーション誤り訂正手順として、前記アンテナベリフィケーション手順により推定された基地局位相制御値に基づいてＣＰＩＣＨの受信電力を測定するＣＰＩＣＨ受信電力算出手順と、所望チャネルの受信信号電力を測定する所望チャネル受信電力算出手順と、前記ＣＰＩＣＨ受信電力と前記所望チャネル受信電力との受信電力比を算出する受信電力比算出手順と、前記受信電力比から真の受信電力比を推定するリファレンス受信電力比推定手順と、前記基地局位相制御値に対して他方の取りうる基地局位相制御値を用いて算出した受信電力比と前記受信電力比とにおいて、真の受信電力比と推定された受信電力比との差を比較し、前記アンテナベリフィケーション手順により推定された基地局位相制御値の誤りを訂正する誤り訂正手順と、を具備する構成を採る。
【００３０】
この構成によれば、基地局からのＣＰＩＣＨ送信電力と所望チャネル送信電力との比が一定であることを利用し、アンテナベリフィケーション結果の誤りを訂正することができるので、基地局位相制御値の推定精度を向上させることができる。加えて、真の受信電力比Ｋｒｅｆとの誤差が大きいスロットについてのみ誤り訂正処理を行うので、訂正する必要のないスロットにおける訂正処理を省くことができ、処理量を削減できる。
【発明の効果】
【００３１】
本発明によれば、ＣＰＩＣＨと所望チャネルとの基地局送信電力比が、ある時間区間もしくは常に一定であるような所望チャネルの送信ダイバーシチＣＬ１時に基地局位相制御値の推定を行うアンテナベリフィケーション手段を具備するＣＤＭＡ受信装置において、アンテナベリフィケーション結果の誤りを訂正することができるので、基地局位相制御値の推定精度を向上させることができる。
【発明を実施するための最良の形態】
【００３２】
本発明の骨子は、ＣＰＩＣＨと所望チャネルとの基地局送信電力比が、ある時間区間もしくは常に一定であるような所望チャネルの送信ダイバーシチＣＬ１時において、アンテナベリフィケーションによって推定した基地局位相制御推定値を用いて算出したＣＰＩＣＨ受信電力と所望チャネル受信電力との比が一定になっているか否かを判定して、アンテナベリフィケーション結果の誤りを訂正し、基地局位相制御値の推定精度を向上させることである。なお、前記所望チャネルについては、例えば、３ＧＰＰにて規定されているＨＳＰＤＳＣＨなども該当する。
【００３３】
以下、本発明の実施の形態について図面を参照して詳細に説明する。
【００３４】
（実施の形態１）
図１は本発明の実施の形態１に係るＣＤＭＡ受信装置の構成を示すブロック図である。図１に示すＣＤＭＡ受信装置１００では、アンテナ１０１にて受信された受信信号は受信ＲＦ（Radio Frequency：無線周波）部１０２に入力される。受信ＲＦ部１０２は、無線周波数である受信信号をベースバンド帯域のアナログ信号に変換し、それをＡＤ変換器１０３に出力する。ＡＤ変換器１０３は、受信ベースバンドアナログ信号をディジタル信号に変換する。各フィンガ（Finger）に対応したＣＰＩＣＨ逆拡散部１０４a、１０４ｂ及びＤＰＣＨ逆拡散部１０５a、１０５ｂと所望チャネル逆拡散部１０６a、１０６ｂとでは、受信ベースバンドディジタル信号を受けて各チャネルに対応した逆拡散コードで逆拡散を行う。ここで、所望チャネルとは、前記の通り、ＣＰＩＣＨと所望チャネルとの基地局送信電力比が、ある時間区間もしくは常に一定になるように規定されているチャネルである。
【００３５】
ＣＰＩＣＨ位相推定部１０７ａ、１０７ｂ及びＤＰＣＨ位相推定部１０８a、１０８ｂでは、ＣＰＩＣＨ逆拡散部１０４a、１０４ｂ及びＤＰＣＨ逆拡散部１０５a、１０５ｂの出力を受けて、それに含まれる既知信号から位相推定値を算出し、送信ダイバーシチＣＬ１時に、基地局アンテナ２側からの送信信号における位相推定値をアンテナベリフィケーション部１０９と同期検波部１１２ａ、１１２ｂとに出力する。また、ＳＩＲ（Signal to Interference Ratio：希望波対干渉波比）測定部１１０では、希望波受信電力（ＲＳＣＰ：Received Signal Code Power）及び干渉波電力（ＩＳＣＰ：Interference Signal Code Power）を測定し、アンテナベリフィケーション部１０９に出力する。
【００３６】
アンテナベリフィケーション部１０９では、例えば、前述した非特許文献１に示される方法で基地局位相制御値Ｗｂｓを推定するアンテナベリフィケーション演算を行い、アンテナベリフィケーション誤り訂正部１１１に出力する。アンテナベリフィケーション誤り訂正部１１１では、所望チャネル逆拡散部１０６a、１０６ｂの出力を用いてアンテナベリフィケーション部１０９にて推定した基地局位相制御推定値Ｗｍｓの誤り訂正処理を、その基地局位相制御推定値Ｗｍｓを用いて算出したＣＰＩＣＨ受信電力と所望チャネル受信電力との比が一定になっているか否かを判定して行い、誤り訂正した基地局位相制御推定値Ｗcorrectを各フィンガに対応した同期検波部１１２a、１１２ｂに出力する。
【００３７】
各フィンガに対応した同期検波部１１２a、１１２ｂでは、誤り訂正された基地局位相制御推定値ＷcorrectとＣＰＩＣＨ位相推定部１０７ａ、１０７ｂ及びＤＰＣＨ位相推定部１０８ａ、１０８ｂが出力するＣＰＩＣＨ位相推定値及びＤＰＣＨ位相推定値と所望チャネル逆拡散部１０６a、１０６ｂの出力とを用いて所望チャネルの同期検波を行い、Ｒａｋｅ合成部１１３に出力する。Ｒａｋｅ合成部１１３では、各フィンガにおける同期検波後の値をＲａｋｅ合成する。チャネルデコード部１１４では、Ｒａｋｅ合成部１１３の出力についてチャネルデコード処理を行う。
【００３８】
次に、図２を参照して、本発明のポイントであるアンテナベリフィケーション誤り訂正部１１１について説明する。図２は、アンテナベリフィケーション誤り訂正部１１１の構成を示すブロック図である。
【００３９】
図２において、ＣＰＩＣＨ受信電力算出部２０１では、アンテナベリフィケーション部１０９で推定した基地局位相制御推定値Ｗｍｓと各アンテナのＣＰＩＣＨ位相推定値とから送信ダイバーシチ考慮ＣＰＩＣＨ受信電力を算出し、受信電力比算出部２０３と誤り訂正部２０７とに出力する。算出方法については、所望チャネルは、基地局においてアンテナ２側の信号を基地局位相制御値Ｗｂｓに乗算しているので、ＣＰＩＣＨについても同様に、ＣＰＩＣＨ基地局アンテナ２側の位相推定値を基地局位相制御推定値Ｗｍｓで乗算すればよい。したがって、送信ダイバーシチ考慮ＣＰＩＣＨ受信電力は、次の式（１）を用いて算出することができる。
【００４０】
送信ダイバーシチ考慮ＣＰＩＣＨ受信電力
＝(CPICH(ant1)＋CPICH(ant2)＊Ｗｍｓ_)^2    …（１）
なお、式（１）において、ＣＰＩＣＨ(ant No.)は、各アンテナにおけるＣＰＩＣＨ位相推定値Ｉ，Ｑを表し、ＣＰＩＣＨ(ant2)＊Ｗｍｓは、複素乗算を表す。
【００４１】
所望チャネル受信電力算出部２０２では、所望チャネル逆拡散部１０６ａ，１０６ｂからの所望チャネル逆拡散信号に基づき所望チャネル受信電力を求め、受信電力比算出部２０３に出力する。受信電力比算出部２０３では、所望チャネル受信電力と各スロットにおける送信ダイバーシチ考慮ＣＰＩＣＨ受信電力との受信電力比Ｋを算出し、平均演算部２０６に出力する。
【００４２】
ここで、上記した算出方法で求めた送信ダイバーシチ考慮ＣＰＩＣＨ受信電力は、基地局位相制御推定値Ｗｍｓが正しければ、所望チャネルとの受信電力比Ｋは基地局送信電力比が一定であった区間において一定になるはずである。図３を参照して説明する。なお、図３は、ＣＰＣＩＨ受信電力算出部２０１での算出内容を説明するための受信電力比と受信ＳＩＲ実測値との関係特性を示す図である。
【００４３】
図３では、受信電力比として、符号３０１、３０２、３０３が示されている。符号３０１は、スロット（Slot）毎に算出した受信電力比である。受信電力比の低い領域と高い領域とにそれぞれ分布していることが示されている。受信電力比の高い領域に示す符号３０２は、基地局位相制御推定値Ｗｍｓが正しかった場合の受信電力比理論値である。また、受信電力比の低い領域に示す符号３０３は、基地局位相制御推定値Ｗｍｓが誤った場合の受信電力比理論値である。実環境においては、スロット（Slot）毎に算出した受信電力比３０１は、干渉成分によって、基地局位相制御推定値Ｗｍｓが正しかった場合の受信電力比理論値３０２と基地局位相制御推定値Ｗｍｓが誤った場合の受信電力比理論値３０３とを中心にそれぞればらつきをもっていることが示されている。
【００４４】
前記３ＧＰＰに規定されるアンテナベリフィケーションでは、各スロットにおいて２値の基地局位相制御値Ｗｂｓを推測する。基地局位相制御推定値Ｗｍｓが正しかった場合の受信電力比理論値３０２は、実際には知ることはできないので、基地局位相制御推定値Ｗｍｓが正しかった場合の受信電力比理論値３０２を推定することになる。その推定方法について図４を参照して説明する。なお、図４は、平均演算部２０６での演算値から図３に示す正しい受信電力比を推定する内容を説明するための受信電力比と受信ＳＩＲ実測値との関係特性を示す図である。
【００４５】
図４では、受信電力比として、上記の符号３０２、３０３に加えて、符号４０１、４０２、４０３が示されている。また、ＳＩＲとしてある受信ＳＩＲ閾値４０４が示されている。符号４０１は、ある受信ＳＩＲ閾値４０４以上の受信電力比Ｋを示している。符号４０２は、ある受信ＳＩＲ閾値４０４以下の受信電力比Ｋを示している。符号４０３は、真の受信電力比を推定した値Ｋｒｅｆ（平均演算部２０６の出力）を示している。
【００４６】
測定したＳＩＲ値が高いスロットにおいては、アンテナベリフィケーション精度即ち受信電力比Ｋの信頼度は高い。したがって、図４において、受信ＳＩＲがある閾値４０４以上になったスロットにおける受信電力比Ｋ４０１の平均値を求め、その値Ｋｒｅｆ４０３を基地局位相制御推定値Ｗｍｓが正しかった場合の受信電力比３０２であると推定する。
【００４７】
さて、図２おいて、閾値設定部２０４では、上記測定ＳＩＲと比較する閾値が設定される。閾値設定部２０４に設定された閾値は、受信ＳＩＲ閾値判定比較部２０５に出力される。なお、図４に示す受信ＳＩＲ閾値４０４は、受信ＳＩＲの高いスロットが選択されればよく、例えばＳＩＲ測定部１１０で測定したＳＩＲ値に係数を乗算したような値でも構わない。また、簡易的にＣＰＩＣＨなどから測定した受信レベルが大きいものを選択するようにしてもよい。
【００４８】
受信ＳＩＲ閾値比較判定部２０５は、受信ＳＩＲ閾値４０４よりも測定ＳＩＲが大きかったスロット番号（Slot No.）を平均演算部２０６に出力する。平均演算部２０６は、測定ＳＩＲが受信ＳＩＲ閾値４０４以上のスロットにおける受信電力比Ｋの平均値を正しい受信電力比Ｋｒｅｆ４０３として誤り訂正部２０７に出力する。
【００４９】
次に、図５を参照して、アンテナベリフィケーション部１０９にて推定した基地局位相制御推定値Ｗｍｓがアンテナベリフィケーション誤り訂正部１１１において訂正される過程について説明する。なお、図５は、図１に示すアンテナベリフィケーションにて推定した基地局位相制御推定値がアンテナベリフィケーション誤り訂正部において訂正される過程を説明するための受信電力比と受信ＳＩＲ実測値との関係特性を示す図である。
【００５０】
図５において、符号５０１は、基地局位相制御推定値Ｗｍｓによる受信電力比Ｋを示す。符号５０２は、基地局位相制御推定値Ｗｍｓ’による受信電力比Ｋ’を示す。符号５０３ａはスロット番号ｍ（slot no.ｍ）における基地局位相制御推定値Ｗｍｓ’による受信電力比と真の受信電力比を推定した値Ｋｒｅｆとの距離（差）を示す。符号５０３ｂは、スロット番号ｍ（slot no.ｍ）における基地局位相制御推定値Ｗｍｓ’による受信電力比と真の受信電力比を推定した値Ｋｒｅｆとの距離（差）を示す。符号５０４ａはスロット番号ｎ（slot no.ｎ）における基地局位相制御推定値Ｗｍｓ’による受信電力比と真の受信電力比を推定した値Ｋｒｅｆとの距離（差）を示す。符号５０４ｂは、スロット番号ｎ（slot no.ｎ）における基地局位相制御推定値Ｗｍｓ’による受信電力比と真の受信電力比を推定した値Ｋｒｅｆとの距離（差）を示す。
【００５１】
ＣＰＩＣＨ受信電力算出部２０１では、アンテナベリフィケーション部１０９にて推定して基地局制御推定値Ｗｍｓに対し、もう一方の取り得る基地局制御推定値Ｗｍｓ’であった場合の送信ダイバーシチ考慮ＣＰＩＣＨ受信電力も算出し、受信電力比算出部２０３に与える。受信電力比算出部２０３では、その受信電力比Ｋ’５０２を算出し、平均演算部２０６に出力する。
【００５２】
誤り訂正部２０７では、基地局位相制御推定値Ｗｍｓで求めた受信電力比Ｋ５０１と、基地局位相制御推定値Ｗｍｓ’で求めた送信ダイバーシチ考慮受信電力比Ｋ’５０２とのどちらが前記正解であると推定した受信電力比の値Ｋｒｅｆ４０３に近いかを判定し、より近い方の値を正しい基地局位相制御推定値Ｗcorrectとして出力する。これは、前記の通り、仮に基地局位相制御推定値Ｗｍｓが正しければ、Ｋｒｅｆ４０３付近に受信電力比Ｋがくるからである。
【００５３】
図５には、スロット番号ｍ（slot no.ｍ）とスロット番号ｎ（slot no.ｎ）の基地局位相制御推定値Ｗｍｓ修正処理の様子が示されている。スロット番号ｍでは、基地局位相制御推定値Ｗｍｓによる受信電力比Ｋと値Ｋｒｅｆとの距離５０３aと基地局位相制御推定値Ｗｍｓ’による受信電力比Ｋ’と値Ｋｒｅｆ４０３との距離５０３ｂとでは、明らかに距離５０３ｂの方が小さいので基地局位相制御推定値Ｗｍｓ’が訂正後の基地局位相制御推定値Ｗcorrectとして出力される。
【００５４】
スロット番号ｍにおいては、最初に推定された基地局位相制御推定値Ｗｍｓ値が誤り訂正処理によって基地局位相制御推定値Ｗｍｓ’に訂正されたことがわかる。一方、スロット番号ｎにおいては、スロット番号ｍと同様に基地局位相制御推定値Ｗｍｓと値Ｋｒｅｆ４０３との距離５０４aと、基地局位相制御推定値Ｗｍｓ’と値Ｋｒｅｆ４０３との距離５０４ｂとの比較を行うと、明らかに基地局位相制御推定値Ｗｍｓの方が小さいので、基地局位相制御推定値Ｗｍｓが訂正後の位相推定制御値Ｗcorrectとして出力される。スロット番号ｎでは、正しく推定されていた基地局位相制御推定値Ｗｍｓを、誤り訂正部２０７によって誤って訂正していないことがわかる。
【００５５】
なお、アンテナベリフィケーション方法によっては、基地局位相制御推定値Ｗｍｓが４通りの値を取る場合もある。その場合は、残りの３通りの基地局位相制御推定値Ｗｍｓについて、正しい受信電力比との距離を算出し、最も近いものを修正後の基地局位相制御推定値Ｗcorrectとすることで、基地局位相制御推定値Ｗｍｓの修正を行うことができる。なお、ＣＰＩＣＨ受信電力算出部２０１は、ＳＩＲ測定部１１０の機能に含めることもできるので、その場合は、アンテナベリフィケーション誤り訂正部１１１では、ＣＰＩＣＨ受信電力算出部２０１は、省略することができる。
【００５６】
このように、本実施の形態１によれば、基地局からのＣＰＩＣＨ送信電力と所望チャネルの送信電力との比が一定であることを利用することで、アンテナベリフィケーション結果の誤りを訂正することができるので、基地局位相制御値の推定精度を向上させることができる。なお、所望チャネルとしては、ＣＰＩＣＨとの送信電力比が３スロット間で一定と規定されているＨＳＰＤＳＣＨなどが考えられる。
【００５７】
（実施の形態２）
図６は、本発明の実施の形態２に係るＣＤＭＡ受信装置が備えるアンテナベリフィケーション誤り訂正部の構成を示すブロック図である。なお、図６では、図２（実施の形態１）に示した構成要素と同一ないしは同等である構成には同一の符号が付されている。ここでは、本実施の形態２に関わる部分を中心に説明する。
【００５８】
即ち、図６に示すように、本実施の形態２に係るアンテナベリフィケーション誤り訂正部６００では、図２に示した構成において、受信ＳＩＲ閾値比較判定部２０５に代えて受信ＳＩＲ閾値比較判定部６０１が設けられている。また、ＣＰＩＣＨ受信電力算出部２０１に代えてＣＰＩＣＨ受信電力算出部６０２が設けられている。
【００５９】
図６において、受信ＳＩＲ閾値比較判定部６０１では、閾値以下であったスロット番号（Slot No.）をＣＰＩＣＨ受信電力算出部６０２に出力する。ＣＰＩＣＨ受信電力算出部６０２では、その閾値以下だったスロットにおいて、基地局位相制御推定値Ｗｍｓ’に対する送信ダイバーシチ考慮ＣＰＩＣＨ受信電力を算出し、受信電力比算出部２０３が受信電力比Ｋを算出する。
【００６０】
誤り訂正部２０７においては、上記のスロットに対してのみ、実施の形態１と同様に、基地局位相制御推定値Ｗｍｓに対応した受信電力比Ｋ及び基地局位相制御推定値Ｗｍｓ’に対応した受信電力比Ｋ’のいずれが正しいと推定した受信電力比Ｋｒｅｆに近いかを判定し、より近い方、つまり差が小さい方を基地局位相制御推定値Ｗcorrectとして出力する。これは、実際に誤る可能性が高いスロットは、受信ＳＩＲが低いものであるので、受信ＳＩＲがある閾値以下のスロットについてのみ誤り訂正処理を行うことで、処理量を削減できるからである。
【００６１】
このように、本実施の形態２によれば、実施の形態１と同様に、基地局からのＣＰＩＣＨ送信電力と所望チャネル送信電力との送信電力比が一定であることを利用することで、アンテナベリフィケーション結果の誤りを訂正することができるので、基地局位相制御値の推定精度を向上させることができる。加えて、受信ＳＩＲが閾値以下のスロットのみについて誤り訂正処理を行うので、訂正する必要のないスロットにおける訂正処理を省くことができ、処理量を削減できる。
【００６２】
（実施の形態３） 
図７は、本発明の実施の形態３に係るＣＤＭＡ受信装置が備えるアンテナベリフィケーション誤り訂正部の構成を示すブロック図である。なお、図７では、図２（実施の形態１）に示した構成要素と同一ないしは同等である構成には同一の符号が付されている。ここでは、本実施の形態３に関わる部分を中心に説明する。
【００６３】
即ち、図７に示すように、本実施の形態３に係るアンテナベリフィケーション誤り訂正部７００では、図２に示した構成において、受信電力比閾値比較判定部７０１と受信電力比閾値比較設定部７０２とが追加されている。また、ＣＰＩＣＨ受信電力算出部２０１に代えてＣＰＩＣＨ受信電力算出部７０３が設けられている。
【００６４】
本実施の形態３では、基地局位相推定値Ｗｍｓが誤っている可能性があると判断する方法が、実施の形態２とは異なり、受信電力比Ｋが値Ｋｒｅｆからある閾値以上離れたスロットにおいては、誤りの可能性があると判断し、基地局位相推定値Ｗｍｓ’により再度送信ダイバーシチ考慮ＣＰＩＣＨ受信電力を算出し、受信電力比Ｋを算出する。以下、図８を参照して説明する。
【００６５】
図８は、図７に示す受信電力比閾値設定部及び受信電力比閾値比較判定部の動作を説明するための受信電力比と受信ＳＩＲ実測値との関係特性を示す図である。図８では、図４に示した特性関係を利用して受信電力比閾値設定部７０２及び受信電力比閾値比較判定部７０１の処理動作が示されている。
【００６６】
図８において、受信電力比閾値比較判定部７０１では、正しい受信電力比Ｋｒｅｆ４０３からある値下がった受信電力比の値を受信電力比閾値８０１として設定する。なお、受信電力比閾値８０１は、受信電力比Ｋｒｅｆ４０３にある係数を乗算するような閾値でも良いし、固定値でもよい。また、さらに受信ＳＩＲを用いて、受信ＳＩＲが高い場合は、アンテナベリフィケーションや受信電力比の測定精度も高いので、受信電力比閾値８０１を小さくし、受信ＳＩＲが悪い場合には、受信電力比閾値８０１を大きくするなども考えられる。
【００６７】
受信電力比閾値設定部７０２は、受信電力比算出部２０３が算出した所望チャネル受信電力と各スロットにおける送信ダイバーシチ考慮ＣＰＩＣＨ受信電力との受信電力比のうち、受信電力比閾値比較判定部７０１が設定する受信電力比閾値８０１を下回る受信電力比４０２のスロットを誤りの可能性があるスロットと判断し、そのスロット番号（Slot No.）をＣＰＩＣＨ受信電力算出部７０３に出力する。図８では、基地局位相制御推定値Ｗｍｓが誤った場合の受信電力比理論値３０３の近傍に分布する受信電力比８０２が、受信電力比閾値８０１から離れている受信電力比Ｋ４０２を数多く含むので、受信電力比閾値比較判定部７０１によって、誤る可能性があると判断された受信電力比のスロットを示していることになる。
【００６８】
ＣＰＩＣＨ受信電力算出部７０３では、ＣＰＩＣＨ受信電力算出部６０２と同様に、閾値以下だったスロットにおいて、基地局位相制御推定値Ｗｍｓ’に対する送信ダイバーシチ考慮ＣＰＩＣＨ受信電力を算出し、受信電力比算出部２０３が受信電力比Ｋ’を算出する。
【００６９】
誤り訂正部２０７においては、上記の誤りがあると判断されたスロットに対してのみ、実施の形態１と同様に、基地局位相制御推定値Ｗｍｓに対応した受信電力比Ｋ、及び基地局位相制御推定値Ｗｍｓ’に対応した受信電力比Ｋ’のいずれが正しいと推定した受信電力比Ｋｒｅｆに近いかを判定し、差の小さい方を基地局位相制御推定値Ｗcorrectとして出力する。
【００７０】
このように、本実施の形態３によれば、実施の形態１と同様に、基地局からのＣＰＩＣＨ送信電力と所望チャネル送信電力との送信電力比が一定であることを利用することで、アンテナベリフィケーション結果の誤りを訂正することができるので、基地局位相制御値の推定精度を向上させることができる。加えて、正しい受信電力比Ｋｒｅｆとの誤差が大きいものについてのみ誤り訂正処理を行うので、実施の形態２と同様に、訂正する必要のないスロットにおける訂正処理を省くことができ、処理量を削減できる。
【００７１】
（実施の形態４) 
図９は、本発明の実施の形態４に係るＣＤＭＡ受信装置が備えるアンテナベリフィケーション誤り訂正部の構成を示すブロック図である。なお、図９では、図２（実施の形態１）に示した構成要素と同一ないしは同等である構成には同一の符号が付されている。ここでは、本実施の形態４に関わる部分を中心に説明する。
【００７２】
即ち、図９に示すように、本実施の形態４に係るアンテナベリフィケーション誤り訂正部９００では、図２に示した構成において、閾値設定部２０４が省略され、受信ＳＩＲ閾値比較判定部２０５に代えて最大値検出部９０１が設けられている。また、平均演算部２０６が削除され、誤り訂正部２０７に代えて誤り訂正部９０２が設けられている。
【００７３】
最大値検出部９０１では、受信ＳＩＲの最大値を検出し、その最大値におけるスロット番号（Slot No.）を誤り訂正部９０２に与える。誤り訂正部９０２は、受信電力比算出部２０５が算出した受信電力比Ｋのうち、最大値検出部９０１が示した受信ＳＩＲの最大値におけるスロットの受信電力比Ｋを正しい受信電力比Ｋｒｅｆと推定し、実施の形態１と同様に、基地局位相制御推定値Ｗｍｓに対応した受信電力比Ｋ、及び基地局位相制御推定値Ｗｍｓ’に対応した受信電力比Ｋ’のいずれが正しいと推定した受信電力比Ｋｒｅｆに近いかを判定し、差の小さい方を基地局位相制御推定値Ｗcorrectとして出力する。
【００７４】
このように、本実施の形態４によれば、基地局からのＣＰＩＣＨ送信電力と所望チャネル送信電力との送信電力比が一定であることを利用することで、アンテナベリフィケーション結果の誤りを訂正することができるので、基地局位相制御値の推定精度を向上させることができる。加えて、受信ＳＩＲの最大値におけるスロットの受信電力比を正しい受信電力比Ｋｒｅｆと推定するので、処理量の削減が期待できる。なお、本実施の形態４による正しい受信電力比Ｋｒｅｆの推定方法は、実施の形態２、３における推定方法と組み合わせて用いることが可能である。
【産業上の利用可能性】
【００７５】
本発明は、ＣＰＩＣＨと所望チャネルとの基地局送信電力比が、ある時間区間もしくは常に一定であるような所望チャネルの送信ダイバーシチＣＬ１時において、アンテナベリフィケーション結果の誤りを訂正し、基地局位相制御値の推定精度を向上させるのに好適である。
【図面の簡単な説明】
【００７６】
【図１】本発明の実施の形態１に係るＣＤＭＡ受信装置の構成を示すブロック図
【図２】図１に示すアンテナベリフィケーション誤り訂正部の構成を示すブロック図
【図３】図２に示す送信ダイバーシチ考慮ＣＰＣＩＨ受信電力算出部での算出内容を説明するための受信電力比と受信ＳＩＲ実測値との関係特性を示す図
【図４】図２に示す平均演算部での演算値から図３に示す正しい受信電力比を推定する内容を説明するための受信電力比と受信ＳＩＲ実測値との関係特性を示す図
【図５】図１に示すアンテナベリフィケーションにて推定した基地局位相制御推定値がアンテナベリフィケーション誤り訂正部において訂正される過程を説明するための受信電力比と受信ＳＩＲ実測値との関係特性を示す図
【図６】本発明の実施の形態２に係るＣＤＭＡ受信装置が備えるアンテナベリフィケーション誤り訂正部の構成を示すブロック図
【図７】本発明の実施の形態３に係るＣＤＭＡ受信装置が備えるアンテナベリフィケーション誤り訂正部の構成を示すブロック図
【図８】図７に示す受信電力比閾値設定部及び受信電力比閾値比較判定部の動作を説明するための受信電力比と受信ＳＩＲ実測値との関係特性を示す図
【図９】本発明の実施の形態４に係るＣＤＭＡ受信装置が備えるアンテナベリフィケーション誤り訂正部の構成を示すブロック図
【符号の説明】
【００７７】
１００、ＣＤＭＡ受信装置
１０１  アンテナ
１０２  受信ＲＦ部
１０３  ＡＤ変換器
１０４ａ、１０４ｂ  ＣＰＩＣＨ逆拡散部
１０５ａ、１０５ｂ  ＤＰＣＨ逆拡散部
１０６ａ、１０６ｂ  所望チャネル逆拡散部
１０７ａ、１０７  ＣＰＩＣＨ位相推定部
１０８ａ、１０８ｂ  ＤＰＣＨ位相推定部
１０９  アンテナベリフィケーション部
１１０  ＳＩＲ測定部
１１１、６００、７００、９００  アンテナベリフィケーション誤り訂正部
１１２ａ、１１２ｂ  同期検波部
１１３  Ｒａｋｅ合成部
１１４  チャネルデコード部
２０１、６０２、７０３  ＣＰＩＣＨ受信電力算出部
２０２  所望チャネル受信電力算出部
２０３  受信電力比算出部
２０４  閾値設定部
２０５、６０１  受信ＳＩＲ閾値比較判定部
２０６  平均演算部
２０７、９０２  誤り訂正部
７０１  受信電力比閾値比較判定部
７０２  受信電力比閾値設定部
９０１  最大値検出部
【図１】
2005348182.tif 000003
【図２】
2005348182.tif 000004
【図３】
2005348182.tif 000005
【図４】
2005348182.tif 000006
【図５】
2005348182.tif 000007
【図６】
2005348182.tif 000008
【図７】
2005348182.tif 000009
【図８】
2005348182.tif 000010
【図９】
2005348182.tif 000011